(57)【要約】【課題】簡便な構造で防風効果に優れた防風柵を提供する。【解決手段】所定間隔で配置した支持縦木６に横木７を複数本配設固定した一対の柵体４、５の上部同士を連結して形成された柵本体２と、柵体４に張設されたネット３とを備え、柵本体２は苗木の風上方向に一対の柵体４、５の一方を向けて設置されるとともに、ネット３は風上方向に対して地面から傾斜した柵体４に張設されており、柵本体２の横木７の隙間から吹き込まれる風雪を防ぎ、簡便な構造で防風効果に優れた防風柵１を提供することができる。【選択図】図１
0003233778.tif 000002
【実用新案登録請求の範囲】
【請求項１】
所定間隔で配置した支持縦木に横木を複数本配設固定した一対の柵体の上部同士を連結して形成された柵本体と、
前記柵体に張設された張設部材とを備えたことを特徴とする防風柵。
【請求項２】
前記張設部材を充実率５０％〜７０％のネットとすることを特徴とする請求項１に記載の防風柵。
【請求項３】
前記柵本体は、保護対象の風上方向に前記一対の柵体の一方を向けて設置されるとともに、
前記張設部材は、前記風上方向に対して地面から鈍角に傾斜した前記柵体に張設されることを特徴とする請求項１又は２に記載の防風柵。
【請求項４】
前記柵本体は、保護対象の風上方向に前記一対の柵体の一方を向けて設置されるとともに、
前記張設部材は、前記風上方向に対して地面から鋭角に傾斜した前記柵体に張設されることを特徴とする請求項１又は２に記載の防風柵。
【請求項５】
前記柵本体は、保護対象の風上方向に前記一対の柵体の一方を向けて設置されるとともに、
前記一方の柵体に張設された前記張設部材は、前記風上方向に対して地面から鈍角に傾斜した前記柵体に張設され、
前記一対の柵体の他方に張設された前記張設部材は、前記風上方向に対して地面から鋭角に傾斜した前記柵体に張設されることを特徴とする請求項１又は２に記載の防風柵。
【請求項６】
前記張設部材は、複数の前記柵本体の前記柵体に連続して張設されることを特徴とする請求項１〜４のいずれか１項に記載の防風柵。
【考案の詳細な説明】
【技術分野】
【０００１】
本考案は、苗木を風雪から保護する防風柵に関するものである。
【背景技術】
【０００２】
従来、林木、果樹等の苗木を植え付け成長させるに際し、風雪からこれを保護するための防風柵として、二つの柵体を開閉脚可能に組み合わせてなる苗木フェンスがあった。その柵体は、所定間隔で配置した支持縦木に、風雪防止のための横木を複数本配設固定して構成するものであった（特許文献１）。
【先行技術文献】
【特許文献】
【０００３】
【特許文献１】特開平５−１２３０６２号公報
【考案の開示】
【考案が解決しようとする課題】
【０００４】
しかし、特許文献１の苗木フェンスでは、横木同士の隙間が大きく、この隙間から吹き込まれる風雪により苗木の生育不良が起こるという問題があった。また、風により苗木が揺れると、苗木の周囲の地面に穴が開き、乾燥や排水不良により苗木の成長が妨げられるのを防ぐため、苗木の周囲の地面を踏み固める締固め作業が必要となり、維持管理費がかかっていた。
【０００５】
そこで、本考案は、簡便な構造で防風効果に優れた防風柵を提供することを目的とする。
【課題を解決するための手段】
【０００６】
請求項１記載の本考案の防風柵は、所定間隔で配置した支持縦木に横木を複数本配設固定した一対の柵体の上部同士を連結して形成された柵本体と、前記柵体に張設された張設部材とを備えたことを特徴とする。
【０００７】
請求項２記載の本考案の防風柵は、前記張設部材を充実率５０％〜７０％のネットとすることを特徴とする。
【０００８】
請求項３記載の本考案の防風柵は、前記柵本体は、保護対象の風上方向に前記一対の柵体の一方を向けて設置されるとともに、前記張設部材は、前記風上方向に対して地面から鈍角に傾斜した前記柵体に張設されることを特徴とする。
【０００９】
請求項４記載の本考案の防風柵は、前記柵本体は、保護対象の風上方向に前記一対の柵体の一方を向けて設置されるとともに、前記張設部材は、前記風上方向に対して地面から鋭角に傾斜した前記柵体に張設されることを特徴とする。
【００１０】
請求項５記載の本考案の防風柵は、前記柵本体は、保護対象の風上方向に前記一対の柵体の一方を向けて設置されるとともに、前記一方の柵体に張設された前記張設部材は、前記風上方向に対して地面から鈍角に傾斜した前記柵体に張設され、前記一対の柵体の他方に張設された前記張設部材は、前記風上方向に対して地面から鋭角に傾斜した前記柵体に張設されることを特徴とする。
【００１１】
請求項６記載の本考案の防風柵は、前記張設部材は、複数の前記柵本体の前記柵体に連続して張設されることを特徴とする。
【考案の効果】
【００１２】
請求項１の考案によれば、柵本体の横木の隙間から吹き込まれる風雪を防ぎ、簡便な構造で防風効果に優れた防風柵を提供することができる。
【００１３】
請求項２の考案によれば、防風性能と景観の両立を図ることができる。
【００１４】
請求項３の考案によれば、風上方向からの風を張設部材に沿って上方へ逸らすことで、張設部材の風下側にある苗木を風雪から保護することができる。
【００１５】
請求項４の考案によれば、風上方向からの風を張設部材で捉えて遮ることで、張設部材の風下側にある苗木を風雪から保護することができる。
【００１６】
請求項５の考案によれば、風上方向からの風を地面から鈍角に傾斜した張設部材に沿って上方へ逸らすことで、張設部材の風下側にある苗木を風雪から保護することができる。また、風上からの風を地面から鋭角に傾斜した張設部材で捉えて遮ることで、張設部材の風下側にある苗木を風雪から保護することができる。
【００１７】
請求項６の考案によれば、作業の効率化を図ることができる。
【図面の簡単な説明】
【００１８】
【図１】本考案の実施例１における防風柵の斜視図である。
【図２】同上、防風柵の正面図である。
【図３】同上、防風柵を苗木の風上方向に配置し、張設部材を地面から鈍角に張設した防風柵の側面図である。
【図４】同上、防風柵を苗木の風上方向に配置し、張設部材を地面から鋭角に張設した防風柵の側面図である。
【図５】同上、要部を拡大した防風柵の側面図である。
【図６】同上、張設部材の正面図である。
【図７】本考案の実施例２における防風柵の斜視図である。
【図８】同上、防風柵を苗木の風上方向に配置した防風柵の側面図である。
【図９】同上、苗木を覆うように配置した防風柵の側面図である。
【図１０】本考案の実施例３における防風柵の正面図である。
【図１１】同上、要部を拡大した防風柵の側面図である。
【図１２】本考案の実施例４における防風柵の斜視図である。
【図１３】本考案の実施例５における防風柵の斜視図である。
【考案を実施するための最良の形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例１】
【００２０】
以下、本考案の第１実施例を図１〜図６を参照して説明する。本実施例の防風柵１は、柵本体２と、柵本体２に張設された張設部材としてのネット３からなる。柵本体２は、一対の柵体である第１柵体４と第２柵体５を開閉可能に組み合わせたものである。
【００２１】
第１柵体４及び第２柵体５では、所定間隔で配置した複数（本実施例では４本）の支持縦木６と、支持縦木６と直交する状態で上下に所定の間隔を空けて並設された複数（本実施例では７本）の横木７とを組み合わせて第１柵面４Ａ及び第２柵面５Ａを構成している。
【００２２】
支持縦木６と横木７の固定は適宜の接続手段、例えばボルト８を使用して行う。第１柵体４の横木７の間隔と第２柵体５の横木７の間隔は、それぞれ異なる間隔としても構わないものとする。また、各柵体４、５の横木７の間隔自体も均一である必要はないものとする。
【００２３】
図３〜図５に示すように、第１柵体４の支持縦木６の上端部６Ａと第２柵体５の支持縦木６の上端部６Ａをボルト９により軸着すると、そのボルト９を回動軸として第１柵体４と第２柵体５はそれぞれの支持縦木６を脚部として開閉脚可能な構造となる。
【００２４】
横木７は、丸棒状の製材を半割にしたものを使用し、横木７の円弧状に突出した突出面７Ａが外向きとなるように、横木７の切断面７Ｂが支持縦木６に当接している。そして、第２柵面５Ａでは、降雪が冠雪し横木７の隙間を閉塞して、吹雪の場合でも防風柵１の内部へ雪が吹き込まないように構成されている。さらに、ネット３が張設されている第１柵面４Ａでは、降雪がネット３の表面に冠雪し、横木７の隙間に降雪が冠雪することを軽減するため、吹雪の場合でも防風柵１の内部へ雪が吹き込む量がネット３が張設されていない第２柵面５Ａより更に少なくなるように構成されている。
【００２５】
第１柵体４と第２柵体５の各支持縦木６の各下端６Ｂの間隔を調整した後、第１柵体４と第２柵体５の各支持縦木６の各下端６Ｂを離間した状態で止め木１０で固定する。止め木１０は、第１柵体４及び第２柵体５のそれぞれ外側の支持縦木６の下端６Ｂ近傍の側面位置にボルト１１により取り付けられる。
【００２６】
ネット３は、横木７の隙間への風雪の通過を阻害する構成要素である。本実施例のネット３は、高強度ポリエステル等の樹脂製ネットに高耐候性のアクリル樹脂のコーティングを施し耐候性、耐摩耗性、耐衝撃性を向上させたものである。ネット３は、軽量で柔軟性を備えており、運搬、組立、収納が容易な施工性に優れている。また、ネット３は、充実率を５０％〜７０％、好ましくは約６０％とし、網目ピッチを約５．５ｍｍ×６．２ｍｍとした均一性に優れたメッシュ形状により、風の乱流や光の乱反射を防ぎ、防塵、防砂効果が高く、またネット３越しの視界が良好で景観を遮らないよう景観配慮に優れている。ネット３の充実率を５０％〜７０％としたのは、充実率を５０％未満とするとネット３の防塵、防砂効果が乏しくなり、充実率が７０％を超えるとネット３越しの視界が乏しくなり景観が損なわれるためである。
【００２７】
図５及び図６に示すように、ネット３の上側縁部３Ａと下側縁部３Ｂは、ネット３の端部を２重又はそれ以上の多重に折り返して重ね合わせ、強度を増した折り返し部分となっている。
【００２８】
本実施例では、ネット３は第１柵体４の第１柵面４Ａに張設されており、最上段の横木７と下から２段目の横木７に対して横木７の長手方向に所定間隔を開けて固定されている。
【００２９】
ネット３は、最上段の横木７と下から２段目の横木７に対して、上側縁部３Ａと下側縁部３Ｂが座金１２を介して固定手段としての木ネジ１３（又はボルト）で固定されている。尚、ネット３の上側縁部３Ａ及び下側縁部３Ｂは、第１柵面４Ａの横木７の隙間からのネット３越しの景観を妨げないように配慮して、横木７の突出面７Ａの上側及び下側に固定されている。
【００３０】
止め木１０の左右端１０Ａ、１０Ａには、鋭利な先端部１４Ａを下方に向けた支柱１４がボルト１５によって固定されている。
【００３１】
上記の構成の防風柵１の施工方法について説明する。最初に柵本体２の構築作業について説明すると、第１柵体４及び第２柵体５を閉脚させた状態で防風柵１を運び込み、保護対象である苗木Ｔを植えた地面Ｇ上で第１柵体４及び第２柵体５を広げて止め木１０をボルト１５で固定することにより、柵本体２を構築することが出来る。この柵本体２は、二つの第１柵体４及び第２柵体５を広げて地面Ｇ上に立脚させれば良いだけであるから、設営作業が容易であることから、少人数、短時間で多くの柵本体２を構築することが出来る。
【００３２】
次にネット３の張設作業について説明すると、前述の柵本体２の構築作業の前後の工程で、第１柵体４の第１柵面４Ａにネット３の張設を行う。既設の柵本体２への張設であれば柵本体２の構築後に行い、新設の柵本体２への張設であれば柵本体２の構築前又は構築後に行うことができる。
【００３３】
ネット３の張設方法は、図５に示すようにネット３の上側縁部３Ａを最上段の横木７に座金１２を介して木ネジ１３で固定する。同様に、ネット３の下側縁部３Ｂを下から２段目の横木７に座金１２を介して木ネジ１３で固定する。
【００３４】
第１柵体４に張設されたネット３は、第１柵体４の第１柵面４Ａに対して弛ませることなく適度な張力をもって張設されている。
【００３５】
さらに、ネット３が風でバタつかないように、ネット３は上から２段目から下から３段目までの横木７の突出面７Ａに対しても座金１２を介して木ネジ１３で固定される。
【００３６】
所定の位置に設置された防風柵１は、止め木１０による第１柵体４と第２柵体５の支持縦木６の下端６Ｂ同士の固定が行われた後、支柱１４の先端部１４Ａを地面Ｇに杭打ちして、地面Ｇに固定される。このように、本実施例の防風柵１は、柵本体２にネット３を張設することで第１柵面４Ａの空気抵抗が増加するが、支柱１４を地面Ｇに杭打ちすることにより、強風による防風柵１の倒壊を防止している。
【００３７】
そして、苗木Ｔに対する防風柵１の設置方式は、図３及び図４に示すように苗木Ｔの風上側で横側に配置する方式とする。
【００３８】
図３に示すように第１柵体４の第１柵面４Ａは、苗木Ｔの風上方向Ｗに対して地面Ｇからの傾斜角度を鈍角αに傾斜しており、ネット３は風上方向Ｗに対して地面Ｇから鈍角αに張設されている。図３の設置方式では、風上方向Ｗからの風をネット３に沿って上方へ逸らすことで、ネット３の風下側にある苗木Ｔを風雪から保護する。
【００３９】
図４に示すように第１柵体４の第１柵面４Ａは、苗木Ｔの風上方向Ｗに対して地面Ｇからの傾斜角度を鋭角βに傾斜しており、ネット３は風上方向Ｗに対して地面Ｇから鋭角βに張設されている。図４の設置方式では、風上方向Ｗからの風をネット３で捉えて遮ることで、ネット３の風下側にある苗木Ｔを風雪から保護する。
【００４０】
ネット３を通じて横木７の隙間から陽光が防風柵１内部に差し込み、また降雨も防風柵１内部に一定量進入できる。当然、一定の通風性も確保される。従って、この防風柵１によれば、特に外部環境の厳しい冬季間において苗木Ｔを保護でき、それ以外の温暖な季節では逆に自然の環境条件に極めて近いかたちで苗木Ｔの成長を促進させることが出来る。
【００４１】
防風柵１の複数の横木７からなる第１柵面４Ａに張られたネット３によって、横木７間の隙間からの風雪の侵入を防ぐとともに、ネット３を採用したことにより、景観を遮断する効果が少なく、見通しの良さに優れている。
【００４２】
尚、前記実施例においては、横木７以外にも、支持縦木６、止め木１０及び支柱１４の材料に灌木からなる丸棒状の製材を使用するが、製材を使用すれば横木７の隙間間隔を規格統一化することが出来、防風柵１のフェンス機能の信頼性を確保することが出来る。尚、支柱１４の先端部１４Ａには防腐処理が施されているものとする。
【００４３】
以上のように本実施例の防風柵１は、所定間隔で配置した支持縦木６に横木７を複数本配設固定した一対の柵体４、５の上部同士を連結して形成された柵本体２と、柵体４に張設された張設部材であるネット３とを備えたことにより、柵本体２の横木７の隙間から吹き込まれる風雪を防ぎ、簡便な構造で防風効果に優れた防風柵１を提供することができる。
【００４４】
また、本実施例では、ネット３の充実率５０％〜７０％とすることにより、防風性能と景観の両立を図ることができる。
【００４５】
また、本実施例では、柵本体２は、保護対象である苗木Ｔの風上方向Ｗに一対の柵体４、５の一方を向けて設置されるとともに、ネット３は、風上方向Ｗに対して地面Ｇから鈍角αに傾斜した柵体４に張設されることにより、風上方向Ｗからの風をネット３に沿って上方へ逸らすことで、ネット３の風下側にある苗木Ｔを風雪から保護することができる。
【００４６】
また、本実施例では、柵本体２は、保護対象である苗木Ｔの風上方向Ｗに一対の柵体４、５の一方を向けて設置されるとともに、ネット３は、風上方向Ｗに対して地面Ｇから鋭角βに傾斜した柵体４に張設されることにより、風上方向Ｗからの風をネット３で捉えて遮ることで、ネット３の風下側にある苗木Ｔを風雪から保護することができる。
【実施例２】
【００４７】
図７〜図９は本考案の実施例２を示し、上記実施例１と同一部分に同一符号を付し、その詳細な説明を省略して詳述する。本実施例のネット３は、第１柵体４の第１柵面４Ａ及び第２柵体５の第２柵面５Ａに張設されている。ネット３の第２柵体５の第２柵面５Ａへの張設方法については、実施例１にある第１柵体４の第１柵面Ａへの張設と同様のため、その説明は省略する。
【００４８】
本実施例では、柵本体２の両柵面４Ａ、５Ａにネット３が張設されているので、図８に示すように苗木Ｔの風上側で横側に配置する方式では、第１柵体４の第１柵面４Ａは、苗木Ｔの風上方向Ｗに対して地面Ｇからの傾斜角度を鈍角αに傾斜しており、ネット３は風上方向Ｗに対して地面Ｇから鈍角αに張設されている。風上方向Ｗからの風を第１柵面４Ａのネット３に沿って上方へ逸らすことで、第１柵面４Ａのネット３の風下側にある苗木Ｔを風雪から保護する。そして、第２柵体５の第２柵面５Ａは、苗木Ｔの風上方向Ｗに対して地面Ｇからの傾斜角度を鋭角βに傾斜しており、ネット３は風上方向Ｗに対して地面Ｇから鋭角βに張設されている。風上方向Ｗから第１柵面４Ａのネット３を透過してきた風を第２柵面５Ａのネット３で捉えて遮ることで、ネット３の風下側にある苗木Ｔを風雪から保護する。
【００４９】
また、図９に示すように苗木Ｔを防風柵１で覆うように（跨ぐように）配置すると、防風柵１内部に苗木Ｔを内包するため、降雪量が多い場合や吹雪の場合でも第１柵面４Ａと第２柵面５Ａの双方向からの風雪から苗木Ｔを保護することができる。
【００５０】
本実施例では、前記柵本体２は、保護対象である苗木Ｔの風上方向Ｗに一対の柵体４、５の一方を向けて設置されるとともに、一方の柵体４に張設されたネット３は、風上方向Ｗに対して地面Ｇから鈍角αに傾斜した柵体４に張設され、一対の柵体４、５の他方に張設されたネット３は、風上方向Ｗに対して地面Ｇから鋭角βに傾斜した柵体５に張設されることにより、風上方向Ｗからの風を地面Ｇから鈍角αに傾斜したネット３に沿って上方へ逸らすことで、ネット３の風下側にある苗木Ｔを風雪から保護することができる。また、風上方向Ｗからの風を地面Ｇから鋭角βに傾斜したネット３で捉えて遮ることで、ネット３の風下側にある苗木Ｔを風雪から保護することができる。
【実施例３】
【００５１】
図１０及び図１１は本考案の実施例３を示し、上記各実施例と同一部分に同一符号を付し、その詳細な説明を省略して詳述する。本実施例の押え部材としての角材１６は、ネット３に押し付けられる当接面がネット３を破損させないような平坦に形成された断面長方形状の角材からなり、その角材１６の長手方向の寸法はネット３の長手方向の寸法とほぼ等しく形成されており、一つの角材１６で、上側縁部３Ａか下側縁部３Ｂを連続して押えることが可能になっている。
【００５２】
本実施例におけるネット３は、最上段の横木７と下から２段目の横木７に角材１６を介して木ネジ１３で固定されており、その角材１６が横木７と同じ長さを有することで、一つの角材１６でネット３を連続して押えて、ネット３の破損を防ぐことができる。
【００５３】
さらに、ネット３が風でバタつかないように、ネット３は上から２段目から下から３段目までの横木７の突出面７Ａに対しても角材１６を介して木ネジ１３で固定される。
【実施例４】
【００５４】
図１２は本考案の実施例４を示す、上記各実施例と同一部分に同一符号を付し、その詳細な説明を省略して詳述する。本実施例におけるネット３は、最上段の横木７と最下段の横木７に座金１２を介して固定されている。
【００５５】
本実施例では、最上段の横木７から最下段の横木７までネット３が張設されているので、苗木Ｔをより広い上下方向の範囲で風雪から保護することができる。
【実施例５】
【００５６】
図１３は本考案の実施例５を示す、上記各実施例と同一部分に同一符号を付し、その詳細な説明を省略して詳述する。本実施例における防風柵１では、複数の防風柵１を横木の長手方向に沿って並設させた状態で、各防風柵１の第１柵面４Ａをネット３で連続して張設しており、ネット３を防風柵１毎に切り分けて、各防風柵１毎にネット３を個別に張設するより作業の効率化を図ることができる。
【００５７】
本実施例では、ネット３は、複数の前記柵本体２の前記柵面４Ａ、５Ａに連続して張設されることにより、作業の効率化を図ることができる。
【００５８】
本考案は上記実施例に限定されるものではなく、例えば、支持縦木６、横木７、止め木１０及び支柱１４は木材に限らず樹脂、金属、コンクリート等、他の材質であっても構わない。また、支持縦木６及び横木７の本数、第１柵体４及び第２柵体５の開脚角度は適宜変更可能である。また、張設部材はネットに限らず、防風性能を有するシート状部材であればよい。
【符号の説明】
【００５９】
１  防風柵
２  柵本体
３  ネット（張設部材）
４  第１柵体（柵体）
５  第２柵体（柵体）
６  支持縦木
７  横木
Ｇ  地面
Ｔ  苗木（保護対象）
【図１】
0003233778.tif 000003
【図２】
0003233778.tif 000004
【図３】
0003233778.tif 000005
【図４】
0003233778.tif 000006
【図５】
0003233778.tif 000007
【図６】
0003233778.tif 000008
【図７】
0003233778.tif 000009
【図８】
0003233778.tif 000010
【図９】
0003233778.tif 000011
【図１０】
0003233778.tif 000012
【図１１】
0003233778.tif 000013
【図１２】
0003233778.tif 000014
【図１３】
0003233778.tif 000015